(57)【特許請求の範囲】
【請求項１】
杆体の下端部にハウジングが固定され、当該ハウジングの回転軸の先端に丸鋸が取着されている一方、杆体の上部にはハンドルや操作レバー等が設けられると共に、上記丸鋸の回転駆動を行なうエンジンが備えられた刈払機において、上記杆体の下端部から当該杆体の上方に向かって、上記杆体と上記丸鋸との交差角度を有す抑止板が立設され、当該抑止板における丸鋸の上面側端辺が上記丸鋸の上面と僅かに離間していると共に上記丸鋸の切歯位置よりも伸出し、且つ上記上面側の端辺が折曲して端縁が形成され当該端縁に切刃が固着されていることを特徴とする、刈払機。
【請求項２】
杆体の下端部にハウジングが固定され、当該ハウジングの回転軸の先端に丸鋸が取着されている一方、杆体の上部にはハンドルや操作レバー等が設けられると共に、上記丸鋸の回転駆動を行なうエンジンが備えられた刈払機において、上記杆体の下端部から当該杆体の上方に向かって、上記杆体と上記丸鋸との交差角度を有す抑止板が立設され、当該抑止板における丸鋸の上面側端辺が上記丸鋸の上面と僅かに離間していると共に上記丸鋸の切歯位置よりも伸出し、且つ上記上面側の端辺が折曲して端縁が形成され当該端縁が切刃であることを特徴とする、刈払機。
【請求項３】
杆体の下端部にハウジングが固定され、当該ハウジングの回転軸の先端に丸鋸が取着されている一方、杆体の上部にはハンドルや操作レバー等が設けられると共に、上記丸鋸の回転駆動を行なうエンジンが備えられた刈払機において、上記杆体の下端部から当該杆体の上方に向かって、上記杆体と上記丸鋸との交差角度を有す抑止板が立設され、当該抑止板における丸鋸の上面側端辺が上記丸鋸の上面と僅かに離間していると共に上記丸鋸の切歯位置よりも伸出し、且つ上記上面側の端辺が折曲して端縁が形成され当該端縁に切刃が固着されている一方、上記丸鋸の上面に当該丸鋸の切歯位置から回転中心に向い、当該丸鋸の回転方向に張出す形状に一対以上の湾曲膨出部が点対称に形成されていることを特徴とする、刈払機。
【請求項４】
杆体の下端部にハウジングが固定され、当該ハウジングの回転軸の先端に丸鋸が取着されている一方、杆体の上部にはハンドルや操作レバー等が設けられると共に、上記丸鋸の回転駆動を行なうエンジンが備えられた刈払機において、上記杆体の下端部から当該杆体の上方に向かって、上記杆体と上記丸鋸との交差角度を有す抑止板が立設され、当該抑止板における丸鋸の上面側端辺が上記丸鋸の上面と僅かに離間していると共に上記丸鋸の切歯位置よりも伸出し、且つ上記上面側の端辺が折曲して端縁が形成され当該端縁が切刃である一方、上記丸鋸の上面に当該丸鋸の切歯位置から回転中心に向い、当該丸鋸の回転方向に張出す形状に一対以上の湾曲膨出部が点対称に形成されていることを特徴とする、刈払機。
【発明の詳細な説明】
【技術分野】
【０００１】
本発明は、畦畔等に発生する雑草の刈払い作業に好適に使用される刈払機に関するものである。
【背景技術】
【０００２】
従来、一般的な刈払機の構造は次のようになっている。即ち、斜めに持って使用される杆体の下端部にハウジングが固定され、当該ハウジングには回転軸が回転支持されている。更に、ハウジングより上下に突出した回転軸の下端部にフランジ状の上部割型ボスと下部割型ボスが嵌入されると共に当該上下の割型ボス間には丸鋸が取着されている。次いでこれらはネジによって固定されている。また、上記一方、杆体の上部にはハンドルや操作レバー等が設けられると共に、当該杆体の上端部または作業者が背負う背負い部にエンジンが設けられ、このエンジンによって上記回転軸が回転駆動され、これによって上記丸鋸が回転して雑草の刈払いを行うようにしていた。
【０００３】
また、上記従来の刈払機で雑草の刈払いを実施した場合、蔓草などが混じっていると、刈払機のハウジングや上部割型ボスなどの回転軸の周囲部分に蔓草が巻きつき、その抵抗によって丸鋸の回転が停止してしまうという支障があった。このように丸鋸が停止した場合に、往々にして上記エンジンを停止させずに、巻きついた蔓草を作業者が手で取り外す際に上記丸鋸が急に回転を再開し、作業者が手などを負傷するという事故があった。
【０００４】
一方、近年、上記従来の刈払機における回転軸への蔓草などの巻きつきを防止する刈払機について、種々の提案がある。
例えば、実開平６−５４１２号の刈払機は、刈払い時の草の巻き付きを防止することを目的に成されたものであり、その構成は、柄の下端部に固定状に設けられたハウジングの下面から突出した回転軸に上部丸鋸挟持部材と下部丸鋸挟持部材が固定され、上下の挟持部材の間に丸鋸の取付穴の周縁部が挟み止められている刈払機において、上下の丸鋸挟持部材の間に、丸鋸と、ハウジングの周囲に位置する歯を有する巻付き防止部材とが挟み止められていることを要旨とするものであった。更に、この際の巻付き防止部材が、上部丸鋸挟持部材と丸鋸との間に挟み止められている第一の場合、取付穴が形成された水平板状の連結部と、この連結部の両端部に上方突出状に設けられた爪状部とからなり、爪状部に歯が形成されている第二の場合、更に、取付穴が形成された板状をなし、この巻付き防止部材に爪状部が上方突出状に設けられ、巻付き防止部材が、爪状部を丸鋸に形成された貫通穴に通した状態で下部丸鋸挟持部材と丸鋸との間に挟み止められており、爪状部に歯が形成されているか、更には当該爪状部に外向きに張出した張出し部が設けられ、張出し部に歯が形成されている第三の場合が開示されている。そして、以上のように構成される刈払機は、雑草などの刈払いを行なう場合、回転軸を回転させて丸鋸を回転させると、回転軸に固定された上下の挟持部材の間に挟み止められた巻付き防止部材も丸鋸と一体となって回転するので、つる草などが回転軸の周囲の部分に巻付こうとしても、上記巻付き防止部材の歯で切断され、巻付きが確実に防止されるというものであった。
【０００５】
更に、特開２００５−１１８００３号の巻付き防止部材、刈刃及びそれらを備えた刈払機は、製造コストを上げることなく、回転軸、回転部材及び取付け部材へ草や蔓が巻込むことを一層抑制することができる巻付き防止部材、丸鋸及びそれらを備えた刈払機の提供を目的とするものであって、その構成は回転軸に丸鋸、上部丸鋸挟持部材及び下部丸鋸挟持部材が下から挟持されており、丸鋸と上部丸鋸挟持部材との間には巻付き防止部材が挟持されており、当該巻付き防止部材には、巻付き防止刃及び立ち刃が当該巻付き防止部材の基板部から外向きに張出して形成されており、上記基板部の外周縁上に交互に配置されている。更に、巻付き防止刃は、基板部の外周縁に形成された平面視台形形状の突片の基端部を斜め上方へ折り曲げると共に、当該突片の中間部を斜め下方へ折り曲げることにより形成されている。そして、この際上記巻付け防止刃の先端部は、丸鋸の上面と当接するように設けられていることを要旨とするものである。続いて、以上のような構成から成る刈払機によれば、巻付き防止部材に巻付こうとする草や蔓は、上記巻付き防止刃によって切断されると共に、巻付き防止刃によって切断されない草や蔓は直後に回転してくる立ち刃によって切断されるというものであった。
【特許文献１】実開平６−５４１２号公報
【特許文献２】特開２００５−１１８００３号公報
【発明の開示】
【発明が解決しようとする課題】
【０００６】
上記背景技術の欄に記載の実開平６−５４１２号による刈払機において、巻付き防止部材が丸鋸と上部丸鋸挟持部材間に挟み止められている場合、当該刈払機によって特に細い蔓類を刈払いする際には、当該蔓類が丸鋸と上記巻付き防止部材が当接している僅かな隙間に入り込んで絡まるという支障があった。このような場合、絡まった蔓の一方の端部とは反対側の他方の端部が刈払機の柄やハウジング等の周囲に更に巻付き、その抵抗によって丸鋸の回転が停止してしまうという欠点があった。
【０００７】
また、特開２００５−１１８００３号の巻付き防止部材、刈刃及びそれらを備えた刈払機においては、巻付き防止部材の上面に長い草や蔓等が残ることが抑制されるものであったが、刈払いが行なわれた草や蔓等が四方に散乱した状態であって、刈払い作業後に散乱した草類を適した状態に集積するために更に労力を要するという課題があった。これについて更に詳しく言えば、畦畔における雑草の刈払いを実施する際、畦畔の横が水路である場合に、刈払いによって切断された草類が水路に落下し、これらが下流で累積して通水の支障を来たすことから所定の後始末が必要となる。あるいは、隣接する水田間の所有者が異なる場合の畦畔においては、当該畦畔の中心線が慣習的に両者の管理区分とされているが、この際の刈払い作業でも、他者の管理区分に刈払った草類を撒き散らすことは差し控えられるので、あくまで自己管理側に刈払った草類を寄せて置かなければならない。このように実際の刈払い作業の現場を想定した場合、刈払機によって草や蔓等を四方に散乱させることは重大な欠点があると言わざるを得ない。
【０００８】
本発明の目的は、上記背景技術の欄に記載の従来の技術の欠点などに鑑み成されたものであると共に、本発明に係る発明者の長年に亘る実験と研究の成果に基づき成されたものであり、畦畔等に発生する雑草の刈払い作業ににおいて、草や蔓類の刈払いを実施しても刈払機への絡まりの支障がないと共に、刈払われた草や蔓類を四方に散乱させることなく所要の側方へ掃出すように刈払いできる刈払機を提供することにある。
【課題を解決するための手段】
【０００９】
上記の目的を達成するため、本発明に係る刈払機は、杆体の下端部にハウジングが固定され、当該ハウジングの回転軸の先端に丸鋸が取着されている一方、杆体の上部にはハンドルや操作レバー等が設けられると共に、上記丸鋸の回転駆動を行なうエンジンが備えられた刈払機において、上記杆体の下端部から当該杆体の上方に向かって、上記杆体と上記丸鋸との交差角度を有す抑止板が立設され、当該抑止板における丸鋸の上面側端辺が上記丸鋸の上面と僅かに離間していると共に上記丸鋸の切歯位置よりも伸出し、且つ上記上面側の端辺が折曲して端縁が形成され当該端縁に切刃が固着されていることを第一の要旨とする。
【００１０】
また、上記の目的を達成するため、本発明に係る刈払機は、杆体の下端部にハウジングが固定され、当該ハウジングの回転軸の先端に丸鋸が取着されている一方、杆体の上部にはハンドルや操作レバー等が設けられると共に、上記丸鋸の回転駆動を行なうエンジンが備えられた刈払機において、上記杆体の下端部から当該杆体の上方に向かって、上記杆体と上記丸鋸との交差角度を有す抑止板が立設され、当該抑止板における丸鋸の上面側端辺が上記丸鋸の上面と僅かに離間していると共に上記丸鋸の切歯位置よりも伸出し、且つ上記上面側の端辺が折曲して端縁が形成され当該端縁が切刃であることを第二の要旨とする。
【００１１】
更に、本発明に係る刈払機は、杆体の下端部にハウジングが固定され、当該ハウジングの回転軸の先端に丸鋸が取着されている一方、杆体の上部にはハンドルや操作レバー等が設けられると共に、上記丸鋸の回転駆動を行なうエンジンが備えられた刈払機において、上記杆体の下端部から当該杆体の上方に向かって、上記杆体と上記丸鋸との交差角度を有す抑止板が立設され、当該抑止板における丸鋸の上面側端辺が上記丸鋸の上面と僅かに離間していると共に上記丸鋸の切歯位置よりも伸出し、且つ上記上面側の端辺が折曲して端縁が形成され当該端縁に切刃が固着されている一方、上記丸鋸の上面に当該丸鋸の切歯位置から回転中心に向い、当該丸鋸の回転方向に張出す形状に一対以上の湾曲膨出部が点対称に形成されていることを第三の要旨とするものである。
【００１２】
更に続いて、本発明に係る刈払機は、杆体の下端部にハウジングが固定され、当該ハウジングの回転軸の先端に丸鋸が取着されている一方、杆体の上部にはハンドルや操作レバー等が設けられると共に、上記丸鋸の回転駆動を行なうエンジンが備えられた刈払機において、上記杆体の下端部から当該杆体の上方に向かって、上記杆体と上記丸鋸との交差角度を有す抑止板が立設され、当該抑止板における丸鋸の上面側端辺が上記丸鋸の上面と僅かに離間していると共に上記丸鋸の切歯位置よりも伸出し、且つ上記上面側の端辺が折曲して端縁が形成され当該端縁が切刃である一方、上記丸鋸の上面に当該丸鋸の切歯位置から回転中心に向い、当該丸鋸の回転方向に張出す形状に一対以上の湾曲膨出部が点対称に形成されていることを第四の要旨とするものである。
【発明の効果】
【００１３】
本発明に係る第一及び第二の要旨に基づく刈払機は、上記記載の構成により、軟質な草類を丸鋸の切歯で切断する一方、完全に切断されずに上記丸鋸の切歯に掛かり導かれた硬質な蔓草類を、抑止板の端縁に固着された切歯または切歯である抑止板の端縁によって確実に切断すると共に、このようにして切断された草類及び蔓草類を上記抑止板に累積できるようになることから、刈払機に対する蔓草等が絡まるという支障を防止できると共に、作業者が刈払機の杆体を左右に振りながら畦畔等に発生する雑草の刈払い作業を行なう中で、上記抑止板に累積した雑草を所要の側方へ掃出すように刈払いできるという効果がある。
【００１４】
更に、本発明に係る第三及び第四の要旨に基づく刈払機における丸鋸には、その上面側に湾曲膨出部が点対称に形成されているものであるが、当該湾曲膨出部は丸鋸の切歯によって完全に切断されずに、抑止板の端縁に固着された切歯または切歯である抑止板の端縁に導かれた硬質な蔓草類の切断に当たって押切り作用を付与したものであり、細い硬質な蔓草類の切断を更に確実なものとする効果がある。
【発明を実施するための最良の形態】
【００１５】
以下、本発明の実施の形態を図１から図４に基づき説明するものとする。
【００１６】
先ず、図４は従来の刈払機の下端部を示した概要図である。図示のように従来の刈払機２０は、杆体２の下端部にハウジング３が固定され、ハウジング３には回転軸が回転支持されており、ハウジング３より下方に突出した回転軸の下端部には上部割型ボス８と下部割型ボス９が嵌入されると共に上下の割型ボス間には丸鋸４が取着されている。また一方、図示しないながらも、杆体２の上部にはハンドルや操作レバー等が設けられると共に、杆体２の上端部または作業者が背負う背負い部にはエンジンが設けられ、このエンジンによって上記回転軸が回転駆動され、これによって丸鋸４を回転して丸鋸４の切歯１２によって雑草の刈払いを行っている。
【００１７】
上記のように構成される従来の刈払機２０においては、特に細い蔓草類を刈払いする際に、蔓草類が丸鋸４と上部割型ボス８が当接している僅かな隙間に入り込んで絡まり、更に、作業を続けると絡まった蔓草の一方の端部とは反対側の他方の端部が刈払機２０の杆体２やハウジング３に巻付き、その抵抗によって丸鋸４の回転が停止してしまうという欠点があった。
【００１８】
次に、図１は本発明に係る刈払機の下端部を示した概要図である。ここでは、図示のように、本発明に係る刈払機１の杆体２の下端部から杆体２の上方に向かって、杆体２と丸鋸４との交差角度を有す抑止板５が立設されているものである。また、抑止板５における丸鋸４の上面側端辺が丸鋸４の上面と僅かに離間していると共に丸鋸４の切歯１２位置よりも伸出し、且つ上記上面側の端辺が折曲して端縁６が形成され端縁６に切刃７がリベット１１によって固着されている。更に、図中の符号１０は長手の円筒状である杆体２に抑止板５を挟着するボルト１０である。
【００１９】
続いて、図２は本発明に係る別の刈払機の下端部を示した概要図である。ここでも、図示のように、本発明に係る別の刈払機１５の杆体２の下端部から杆体２の上方に向かって、杆体２と丸鋸４との交差角度を有す抑止板５が立設されているものである。更に、抑止板５における丸鋸４の上面側端辺が丸鋸４の上面と僅かに離間していると共に丸鋸４の切歯１２位置よりも伸出し、且つ上記上面側の端辺が折曲して端縁６が形成され端縁６が切刃１３となっているものである。
【００２０】
ここで、図１及び図２に示すように、本発明に係る刈払機１の杆体２及び本発明に係る別の刈払機１５の杆体２には、抑止板５が立設されているので、完全に切断されずに丸鋸４の切歯１２に掛かり導かれた硬質な蔓草類を、抑止板５の端縁６に固着された切歯７または切歯１３である抑止板５の端縁６によって確実に切断することができるので、切断された蔓草類が杆体２やハウジング３に巻付くという支障を防止することができる。更に、このようにして切断された草類及び蔓草類は抑止板５に累積されるようになるので、作業者が刈払機１及び１５の杆体２を左右に振りながら畦畔等に発生する雑草の刈払い作業を行なう中で、抑止板５に累積した雑草を所要の側方へ掃出すように刈払いできる。
【００２１】
更にまた、図３は本発明に係るもう一つの刈払機の下端部を上方から示した概要図である。図示のように、本発明に係るもう一つの刈払機１６の下端部の割型ボス間には丸鋸１７が取着されており、丸鋸１７の上面には丸鋸１７の切歯１２位置から回転中心に向い、丸鋸１７の回転方向に張出す形状に一対の湾曲膨出部１４が点対称に形成されている。ここで、図示のように丸鋸１７は反時計方向に回転しながら雑草類を切断するものであり、湾曲膨出部１４は丸鋸１７の切歯１２によって完全に切断されずに、抑止板５の端縁に固着された切歯または切歯である抑止板５の端縁に導かれた硬質な蔓草類を回転後方から圧縮しながら押切り切断するものであり、細い硬質な蔓草類の切断に威力を発揮するものである。そしてまた、上記湾曲膨出部１４の断面形状については特に限定されるものではなく、矩形状、半円状、三角形状などとすることができる。
【００２２】
次にまた、図３において上記のように切断された雑草類は、図中の抑止板５の左方に累積されるようになるから、雑草の刈払い作業を行なう中で、作業者は切断された雑草類を四方に飛散させることなく刈払機１６の杆体２を左側に振り出した際に切断された雑草類を掃出すように刈払いできる。
【産業上の利用可能性】
【００２３】
本発明に係る刈払機は、上記発明を実施するための最良の形態に記載の刈払機としての特徴を有するものであり、これまで極めて重労働であった刈払い作業の効率を飛躍的に向上させることができると共に、蔓草類などの絡まりに伴う不慮の事故を防止して作業上の安全を確保することができるものであるから、その有用性はきわめて高いと考えられる。
【図面の簡単な説明】
【００２４】
【図１】本発明に係る刈払機の下端部を示した概要図。
【図２】本発明に係る別の刈払機の下端部を示した概要図。
【図３】本発明に係るもう一つの刈払機の下端部を上方から示した概要図。
【図４】従来の刈払機の下端部を示した概要図。
【符号の説明】
【００２５】
１    本発明に係る刈払機
２    杆体
３    ハウジング
４、１７    丸鋸
５    抑止板
６    端縁
７    切歯
８    上部割型ボス
９    下部割型ボス
１０  ボルト
１１  リベット
１２  丸鋸の切歯
１３  切刃
１４  湾曲膨出部
１５  本発明に係る別の刈払機
１６  本発明に係るもう一つの刈払機
２０  従来の刈払機
【図１】
0004740208.tif 000002
【図２】
0004740208.tif 000003
【図３】
0004740208.tif 000004
【図４】
0004740208.tif 000005